(57)【要約】【課題】本考案は入手が簡単な市販されている研磨紙を用い、表刃面は研磨が困難とされる鋏特有のさまざまな放物線の刃線形状に沿った研磨および、その形状に合致させる微調整を可能にすることと、鋏の物理上不可欠な「ソリ」と呼ばれる微小な湾曲形状が形成されている鋏の裏刃面を、正しく誰でも研磨が容易になる実用性に優れた鋏研磨機を提供する。【解決手段】箱型の側面を開放した研磨台座の上面に研磨紙を取り付け側面にベアリングと軸をもちいて研磨角度が３５度と４０度と４３度と４５度と５０度と５５度に調節可能で昇降自在の鋏角度保持具と水平方向に可動自在の移動体と昇降と回転が自在になる移動体と反転調節装置を組み合わせて鋏特有のさまざまな放物線の刃線形状に合致させる微調整が可能となりさらには扇形に開閉するコ形鋏保持具付随のアームを設けて裏刃面を安定させ微小な凸形湾曲形状を施した研磨板上で一定した研磨動作を可能とし研磨作業を行う人の手加減の入る余地がなくなり鋏を取り付ければ研磨を行う動作が一定になる構造。【選択図】図１
0003117078.tif 000002
【実用新案登録請求の範囲】
【請求項１】
研磨台座と平行に両端を軸支持した上側主軸と、この上側主軸と平行すると共にその自由端が水平反転する様に基端を軸支持された下側反転軸と、この下側反転軸の自由端に位置し且つその進退によって下側反転軸を水平方向に振れさせる反転調節装置と、前記上側主軸と下側反転軸間にその軸方向に移動自在に架設される軸方向移動体とでなしたことを特徴とした鋏研磨機。
【請求項２】
軸方向移動体には直交する２本の垂直軸と、バネを介して上部に間隔を保って位置する昇降自在の鋏研磨角度の調節且つ保持する鋏角度保持具を設けた請求項１に記載の鋏研磨機。
【請求項３】
研磨台座の上面端部に平棒形アームが扇形に１０度開閉する基準点となる半固定装置と、研磨台座の他方の上面端部に微小な凸形湾曲状を施した研磨板と、前記アームの自由端にコ形鋏保持具を設けた請求項１〜２に記載の鋏研磨機。
【考案の詳細な説明】
【技術分野】
【０００１】
本考案は鋏の研磨を、研磨紙を利用して行う鋏研磨機に関するものである。
【考案の開示】
【考案が解決しようとする課題】
【０００２】
従来、鋏を研磨する場合、鋏の表刃面と裏刃面を研磨する必要があるにもかかわらず、表刃面だけの研磨機がほとんどで、鋏の表刃面にはその鋏の有する放物線状の刃線に違いが有りどれでも同じではない。その放物線状になった刃線を手加減で合わせながら研磨を行うことは不確実なものとなり、誰でも手軽に研磨できず、鋏の研磨は難しいものと考えられています。また、鋏の裏刃面には物理上不可欠な「ソリ」と呼ばれる微小な湾曲形状が形成されている。その微小ではあるが湾曲状に沿って研磨を行うのが望ましいが湾曲状であるが故にその研磨は難しく誰でも研磨ができるとは言い難いものがあり、本考案は従来の研磨におけるその難しさを解決するものである。
【課題を解決するための手段】
【０００３】
箱型の側面を開放した研磨台座の上面に、市販されている所定大の研磨紙を着脱が簡単な手回しネジにて取り付け、側面開放部には鋏を取り付けて研磨角度が３５度、４０度、４３度、４５度、５０度、５５度に調節可能な鋏角度保持具と、その下部には研磨台座と平行かつ水平に配置した上側主軸を通る軸方向に自在の移動体があり鋏角度保持具とその移動体は２本の垂直軸とバネで連係され鋏角度保持具は昇降自在となる。
軸方向に自在の移動体と、その隣接下部には１本の垂直軸を介して昇降と回転が自在になる移動体が平行かつ水平に配置した下側反転軸を通る。
鋏角度保持具と移動体２個は２本の垂直軸と１本の垂直軸により連係され２本の平行かつ水平に配置した上側主軸と下側反転軸を自在に水平移動できるので角度設定した鋏は研磨台座に取り付けた研磨紙と平行に移動し鋏の表刃面を研磨することができる。
表刃面は、ある角度で狂いなく研磨することができる、しかしながらさまざまな鋏が有り、鋏の表刃面にはその鋏の有する放物線状の刃線に違いが有りどれでも同じではない。
そのために、上側主軸は研磨台座の手前の側面板と対面する側面板の支持穴に固定されていて、下側反転軸は側面板の支持穴に半固定され対面する側面板には平行に配置した上側主軸に対して水平方向に移動可能な直方体に設けられた支持穴に半固定されている。対面する側面板に設けられた直方体は半固定ネジで側面板と接しながら側面板に付随したネジにより移動が可能な反転調節装置となる。この装置により下側反転軸の自由端が振れ、軸にズレが生じ平行度の調節ができる。
移動体２個は各々上側主軸と下側反転軸を移動するため、軸にズレを生じさせると平行度が変化し鋏角度保持具、軸方向移動体、昇降ならびに回転が自在の軸方向移動体で連係された移動体の垂直度が徐々に変化する。上部に位置する鋏を取り付けた鋏角度保持具は昇降自在なため鋏角度保持具を指先で押え鋏を研磨紙に密着させながら軸方向へ移動させると垂直度が徐々に変化することに伴って鋏の有する放物線状の刃線に合わせて鋏角度保持具が昇降し表刃面を一定した角度で研磨することができる。
なお、平行度の変化によって下部に位置する移動体には斜め方向の動きが発生するが、極わずかであるため反転調節装置内のあそびによって吸収される。
刃線に合わせて表刃面を研磨することができれば研磨紙を順次、目の細かいものに取り替え表刃面を仕上げることができる。
【０００４】
鋏の裏刃面を研磨する場合、裏刃面には物理上不可欠な「ソリ」と呼ばれる微小な湾曲状態が保たれている。その微小ではあるが湾曲状に沿って研磨を行うために研磨台座の上面端部に微小な凸型湾曲状を施した研磨板にダイヤモンド研磨紙を貼り付けた金属または、樹脂製の板を着脱可能にしその研磨紙の研磨面を鋏が安定して移動できるコ形鋏保持具を付随させた平棒形アームが研磨台座の他方の上面端部に基準点となる半固定装置にて半固定され、平棒形アームは半固定装置を中心にして扇型に約１０度開き、その開いた角度のコ形鋏保持具が位置する移動距離が鋏の裏刃面を研磨せしめることになる。
鋏をコ形保持具に取り付けたのち、平棒形アームの移動による研磨になるので手加減の入る余地がなくなり誰でも研磨が可能となる。
【考案の効果】
【０００５】
本考案に係る鋏研磨機は入手が簡単な市販されている研磨紙を用いることと、研磨が困難とされる鋏特有のさまざまな放物線の刃線形状に沿った研磨および、その形状に合致する研磨の微調整が可能になることと、鋏の物理上不可欠な「ソリ」と呼ばれる微小な湾曲形状が形成されている鋏の裏刃面を耐久性のあるダイヤモンド研磨紙を貼り付け同湾曲形状を施した研磨板上で安定させた研磨も可能となり一旦鋏を取り付ければ研磨を行う動作は一定するため研磨作業を行う人の手加減の入る余地がなくなり誰でも表刃面と裏刃面の研磨が容易になる実用性に優れた物である。
【考案を実施するための最良の形態】
【０００６】
図１は研磨を行う鋏Ｓを取り付けたもので図１の矢印方向の動きで図３の鋏の形態１から３まで、同角度で研磨できる。しかしながら図３の刃線４は放物線状であるため
図４の鋏取り付け初期状態では上側主軸５と下側反転軸６が平行のため鋏角度保持具９と軸方向移動体１０，１１は垂直度に変化が起きず軸方向移動をおこなっても１の部分しか研磨できない。図７の反転調節装置のネジ７を回すと反転調節装置の直方体８が進退し図７の下側反転軸６の自由端６aを移動させることができ上側主軸と下側反転軸の平行度が変化する。
図８の軸方向移動体１０には上側主軸が通り、軸方向移動体１１には下側反転軸が通っているため平行度が変化すると軸方向移動体の垂直度に傾きが起きる。
軸方向移動体に傾きが起きると、最上部の鋏を取り付けた鋏角度保持具９は昇降自在であるため図４の矢印方向の動きで図４、図５、図６と下から上へ位置が徐々に変化する図３の鋏の形態、刃線４は放物線状であるが鋏角度保持具９の位置が上がれば放物線に沿って１から３まで同角度で研磨が可能となる。
１から３までの刃線４の形状はどの鋏も同じではないので図７の反転調節装置ネジ７の回し加減で上側主軸５と下側反転軸６の平行度を調節すれば、さまざまな放物線の刃線形状に合致させることが可能となりほとんどの鋏を研磨することができる。
図９の表刃面１２を研磨すれば裏刃面１３には必ず図１０の返り刃１４と呼ばれる物質「バリ」が生じる。この返り刃１４を除去しなければ切れる刃を得ることができない。そこで、図１１の平棒形アームの自由端１５aに付随したコ形鋏保持具１６に鋏をはめ込み、締め付けネジ１７で鋏を固定させ図１２の扇型に開く平棒形アーム１５の動きに合わせて微小な湾曲状を形成しダイヤモンド研磨紙を貼り付けた研磨板１８の表面を移動することで返り刃１４が除去できる。
図９の鋏の表刃面１２と裏刃面１３の研磨ができるので鋏は切れる状態に仕上がる。
【図面の簡単な説明】
【０００７】
【図１】本考案に係る鋏研磨機に鋏を取り付けた状態を示す平面図
【図２】同上の側面図
【図３】鋏の形態を示す図
【図４】（図１）のＡ−Ａ断面図
【図５】下側反転軸の自由端をずらせた状態を示す（図１）のＡ−Ａ断面図
【図６】下側反転軸の自由端を最大にずらせた状態を示す（図１）のＡ−Ａ断面図
【図７】反転調節装置のネジを回してシャフトの自由端のずれを示す平面図
【図８】鋏角度保持具と軸方向移動体の配置を示す拡大図
【図９】（図３）のＥ―Ｅ断面図
【図１０】鋏の表刃を研いで生じるバリの状態を示す図
【図１１】コ形鋏保持具に鋏を取り付けた状態を示す図
【図１２】平棒形アームの開きで裏刃面の研磨ができる状態を示す図
【図１３】（図1）のＤ−Ｄ断面拡大図
【図１４】下側反転軸の自由端を示す（図1）のＢ−Ｂ断面図
【図１５】鋏角度保持具と軸方向移動体に傾きがない状態を対面する側面板から示す図
【図１６】下側反転軸の自由端をずらせた状態を示す（図1）のＢ−Ｂ断面図
【図１７】鋏角度保持具と軸方向移動体が傾いた状態を対面する側面板から示す図
【図１８】下側反転軸の自由端を最大にずらせた状態を示す（図1）のＢ−Ｂ断面図
【図１９】鋏角度保持具と軸方向移動体の最大の傾きを対面する側面板から示す図
【図２０】（図1）のＣ−Ｃ断面拡大図
【図２１】裏刃面の微小な湾曲形状を示す鋏側面図
【符号の説明】
【０００８】
５    上側主軸
６    下側反転軸
６a  下側反転軸の自由端
７    反転調節装置のネジ
８    反転調節装置の直方体
９    鋏角度保持具
１０  軸方向移動体
１１  昇降ならびに回転が自在の移動体
１５  平棒形アーム
１５a平棒形アームの自由端
１６  コ形鋏保持具
１８  微小な凸形湾曲状研磨板
１９  研磨台座
２０  垂直軸
２１  バネ
２２  基準点半固定装置
ｈ    押える指
Ｓ    鋏
【図１】
0003117078.tif 000003
【図２】
0003117078.tif 000004
【図３】
0003117078.tif 000005
【図４】
0003117078.tif 000006
【図５】
0003117078.tif 000007
【図６】
0003117078.tif 000008
【図７】
0003117078.tif 000009
【図８】
0003117078.tif 000010
【図９】
0003117078.tif 000011
【図１０】
0003117078.tif 000012
【図１１】
0003117078.tif 000013
【図１２】
0003117078.tif 000014
【図１３】
0003117078.tif 000015
【図１４】
0003117078.tif 000016
【図１５】
0003117078.tif 000017
【図１６】
0003117078.tif 000018
【図１７】
0003117078.tif 000019
【図１８】
0003117078.tif 000020
【図１９】
0003117078.tif 000021
【図２０】
0003117078.tif 000022
【図２１】
0003117078.tif 000023